(57)【要約】【課題】車室内側の意匠面を形成する被保持部材と該部材を保持するための保持部材とを溶着接合する車両内装用溶着部材であって、意匠面に発生する凹凸を低減することが可能な車両内装用溶着部材を提供する。【解決手段】略板状からなり第１面側に溶着突起１１２を突設形成した熱可塑性樹脂からなる基材部１１と、第１面側が基材部１１の第２面側に接合され第２面側が意匠面を形成し発泡性樹脂からなる表面発泡層１２と、樹脂からなり溶着突起部１１２と溶着接合して基材部１１及び表面発泡層１２からなる被保持部１を保持する保持部２とを備える。【選択図】図６
2005205800.tif 000002
【特許請求の範囲】
【請求項１】
略板状からなり第１面側に熱可塑性樹脂からなる溶着突起を突設形成し第２面側が意匠面を形成する被保持部と、
樹脂からなり前記溶着突起部と溶着接合して前記被保持部を保持する保持部と、
を備えたことを特徴とする車両内装用溶着部材。
【請求項２】
前記被保持部は、
略板状からなり第１面側に前記溶着突起を突設形成した熱可塑性樹脂からなる基材部と、
第１面側が前記基材部の第２面側に接合され第２面側が前記意匠面を形成する表層部と、
を備えたことを特徴とする請求項１記載の車両内装用溶着部材。
【請求項３】
前記保持部は、前記基材部の前記溶着突起と振動溶着接合することを特徴とする請求項１記載の車両内装用溶着部材。
【請求項４】
前記保持部は、熱可塑性樹脂からなることを特徴とする請求項１記載の車両内装用溶着部材。
【請求項５】
前記溶着突起の硬度は、少なくとも前記溶着突起に溶着接合する前記保持部の部位の硬度より高いことを特徴とする請求項１記載の車両内装用溶着部材。
【請求項６】
前記表層部は、前記基材部の第２面側に樹脂材料を射出して成形され前記基材部に一体に接合されたことを特徴とする請求項２記載の車両内装用溶着部材。
【請求項７】
前記樹脂材料は、発泡性樹脂材料であることを特徴とする請求項６記載の車両内装用溶着部材。
【請求項８】
前記車両内装用溶着部材は、エアバッグ用ドア部、インストルメントパネル、又はドアトリムであることを特徴とする請求項１記載の車両内装用溶着部材。
【発明の詳細な説明】
【技術分野】
【０００１】
本発明は、車両内装用溶着部材に関するものである。
【背景技術】
【０００２】
車両内装用溶着部材の一例であるインストルメントパネル等の略板板状の溶着部材は、車両内表面側である意匠面を形成する樹脂部材（被保持部材）と、意匠面を形成する部材を保持する樹脂部材（保持部材、例えばエアコンダクト）とから構成される。そして、被保持部材と保持部材とは、ビス止め等による締結が不要で組付け作業が容易な振動溶着により接合されている。そして、従来の略板状の車両内装用溶着部材は、被保持部材と保持部材とを振動溶着により接合するために、保持部材側に溶着突起が設けられていた（例えば、特許文献１又は２参照。）。そして、被保持部材と保持部材とを加圧しながら相対振動させることにより、溶着突起が溶融して被保持部材と保持部材とを一体化していた。
【特許文献１】特許第３０５００５６号公報
【特許文献２】特開２００２−２７４２２２号公報
【発明の開示】
【発明が解決しようとする課題】
【０００３】
ところで、車両内装用溶着部材は、意匠面の品質向上が非常に要求されている部材である。具体的には、インストルメントパネル等の略板状の車両内装用溶着部材は、意匠面の品質を良好にするために僅かな凹凸をも低減させることが要求されている。しかし、従来の車両内装用溶着部材は、保持部材側に溶着突起が形成されていることにより、保持部材の溶着突起が接合する被保持部材の部分に対応した意匠面が突出するため、意匠面に凹凸が発生して外観品質を悪化させていた。
【０００４】
本発明は、このような事情に鑑みて為されたものであり、意匠面に発生する凹凸を低減することが可能な車両内装用溶着部材を提供することを目的とする。
【課題を解決するための手段】
【０００５】
そこで、本発明者はこの課題を解決すべく鋭意研究し、試行錯誤を重ねた結果、意匠面が突出するのは、保持部材の溶着突起が被保持部材を加圧しながら溶着することが原因であることを発見し、本発明を完成するに至った。
【０００６】
すなわち、本発明の車両内装用溶着部材は、略板状からなり第１面側に熱可塑性樹脂からなる溶着突起を突設形成し第２面側が意匠面を形成する被保持部と、樹脂からなり前記溶着突起部と溶着接合して前記被保持部を保持する保持部と、を備えたことを特徴とする（請求項１）。つまり、意匠面を形成する被保持部側に溶着突起を形成し、保持部側には溶着突起を形成していない。具体的には、被保持部の裏面側（意匠面の反対面側）に溶着突起が形成されている。さらに、被保持部のうち少なくとも溶着突起の部分が熱可塑性樹脂からなる。また、溶着接合とは、接合する被保持部と保持部とが互いに加熱されながら加圧されることによる接合を意味する。なお、意匠面とは、車両の内表面側に表れる面である。
【発明の効果】
【０００７】
被保持部には溶着突起が形成されていることにより、被保持部のうちの溶着突起が形成されている部分の強度が増加していることになる。ここで、被保持部の材料と保持部の材料をそれぞれ従来の被保持部の材料と保持部の材料を用いた場合には、被保持部と保持部とを溶着接合させる場合に被保持部及び保持部に生じる応力は従来の場合も本発明の場合も同等となる。そして、本発明の被保持部のうちの溶着突起が形成されている部分の強度は従来に比べて増加しているため、従来の被保持部と本発明の被保持部の溶着突起部分とに同等の応力が生じた場合には、従来の被保持部に比べて本発明の被保持部の方が撓み量が少なくなる。被保持部の撓み量が減少するということは、意匠面に発生する突出量が低減するということになる。つまり、意匠面に発生する凹凸量が低減し、意匠面の外観品質を向上させることができる。
【発明を実施するための最良の形態】
【０００８】
次に、実施形態を挙げ、本発明をより詳しく説明する。
【０００９】
前記被保持部は、略板状からなり第１面側に前記溶着突起を突設形成した熱可塑性樹脂からなる基材部と、第１面側が前記基材部の第２面側に接合され第２面側が前記意匠面を形成する表層部と、を備えるようにしてもよい（請求項２）。一般に、略板状の一方側面に突起部を形成した樹脂成形品を成形した場合には、成形された樹脂成形品の突起部を有する反対面側にヒケが発生する。そして、このヒケにより突起部が形成された部分の反対面側に凹みが生じる。その結果、突起部が形成された部分の反対面側と突起部が形成されていない部分の反対面側とに段差が生じる。しかし、本発明によれば、被保持部を基材部と表層部の２層構造とすることにより、上述したヒケによる凹凸が基材部に生じたとしても、表層部が基材部の凹凸が意匠面に現れないようにすることができる。つまり、基材部の第１面側に溶着突起を形成したとしても、基材部の第２面側に生じる凹凸によっては意匠面の品質を悪化することを防止できる。
【００１０】
また、前記保持部は、前記基材部の前記溶着突起と振動溶着接合するようにしてもよい（請求項３）。すなわち、前記溶着接合として、振動溶着法による接合方法を採用する。振動溶着接合とは、被保持部を保持部に対して相対的に振動させつつ、被保持部を保持部に対して加圧することにより、両者の接触部分が溶着して接合するというものである。具体的には、被保持部の溶着突起が溶着して保持部に接合する。ここで、溶着突起が所定の一方向に形成されている場合には、振動溶着の振動方向は溶着突起の所定の一方向と同方向とするとよい。
【００１１】
また、前記保持部は、熱可塑性樹脂からなるようにしてもよい（請求項４）。被保持部の溶着突起と保持部とが熱可塑性樹脂とすることにより、溶着突起のみならず保持部の一部分が溶融するので、被保持部と保持部との接合力がより強固なものとなる。
【００１２】
また、前記溶着突起の硬度は、少なくとも前記溶着突起に溶着接合する前記保持部の部位の硬度より高くするとよい（請求項５）。これにより、溶着接合する際に、溶着突起の変形量を低減させることができる。その結果、溶着突起が形成されている被保持部の変形量を低減させることができる。被保持部の変形量が低減するということは、被保持部の第２面側である意匠面の変形量を低減させることになる。つまり、意匠面の外観品質をさらに向上することができる。
【００１３】
また、前記表層部は、前記基材部の第２面側に樹脂材料を射出して成形され前記基材部に一体に接合されるようにしてもよい（請求項６）。表層部を射出成形することにより、上述した基材部の第２面側に生じる凹凸を確実に意匠面に現れないようにすることができる。また、前記樹脂材料は、発泡性樹脂材料としてもよい（請求項７）。発泡性樹脂材料にすることにより、意匠面の外観品質がさらに向上すると共に、基材部の第２面側に生じる凹凸をより確実に意匠面に現れないようにすることができる。
【００１４】
また、前記車両内装用溶着部材は、エアバッグ用ドア部、インストルメントパネル、又はドアトリムである（請求項８）。これらの車両内装用溶着部材に適用することにより、これらの部材に要求される意匠面の外観品質を提供することができる。
【実施例】
【００１５】
次に、実施例を挙げて、本発明をより具体的に説明する。本発明の車両内装用溶着部材として、エアバッグドア部を例にとり説明する。
【００１６】
（エアバッグドア部の形状）
エアバッグドア部は、エアバッグの収納部のうちの車室内側に配設されたドアであって、エアバッグの展開圧により開放される。このエアバッグドア部の車室内側（意匠面側）は、例えば、助手席前方側のインストルメントパネルの一部分を形成する。このエアバッグドア部の断面図を図１に示す。図１に示すように、エアバッグドア部は、ドアパネル（被保持部）１と、エアバッグリテーナ（保持部）２とから構成される。ドアパネル１は、略板状に形成されており、詳細には基材部１１と表面発泡層（表層部）１２との２層から構成される。基材部１１は、熱可塑性樹脂であるポリプロピレンからなり、射出成形により略板状に形成されている。この基材部１１の一方側の面（基材部の第１面側）には、エアバッグリテーナ２が接合されている。そして、この基材部１１の第１面側には、エアバッグが展開する際にドアパネル１の開裂の起点となるティアライン（溝）１１ａ〜１１ｃが複数箇所形成されている。具体的には、図１のほぼ中央付近のティアライン１１ｂは、ドアパネル１の開口部となる部分である。図１の左右側のティアライン１１ａ，１１ｃは、それぞれ両側に屈曲する部分である。
【００１７】
表面発泡層１２は、熱可塑性発泡樹脂からなり、基材部１１とほぼ同様の略板状に形成されている。そして、この表面発泡層１２の一方側の面（表層部の第１面）は、基材部１１の他方側の面（基材部の第２面側）に接合して配設されている。表面発泡層１２のうち基材部１１の反対面側（表層部の第２面側）は、車室内側、すなわちエアバッグドア部の意匠面を形成している。エアバッグリテーナ２は、熱可塑性樹脂であるポリオレフィン系軟質樹脂（ＴＰＯ樹脂）からなり、エアバッグモジュールのケースの一部を構成している。このＴＰＯ樹脂は、基材部１１を形成するポリプロピレン樹脂の硬度より低い硬度の材料である。そして、エアバッグリテーナ２は、ドアパネル１の開口部を中心に左右両側にドアパネル１を屈曲開放可能な構造としている。すなわち、エアバッグリテーナ２のうちドアパネル１は、屈曲開放部分を屈曲可能なヒンジ形状に形成している。なお、上述したように、エアバッグリテーナ２は、弾性を有するＴＰＯ樹脂により形成していることから、エアバッグリテーナ２が屈曲した場合であってもエアバッグリテーナ２及びドアパネル１が車室内側に離脱することはない。
【００１８】
次に、図１のエアバッグドア部のＡ部分の拡大した図を図２に示し、エアバッグドア部の詳細形状について説明する。ここで、比較のために、本発明の車両内装用溶着部材及び従来の車両内装用溶着部材を適用した場合について説明する。なお、図２（ａ）は本発明の車両内装用溶着部材を適用したエアバッグドア部を示し、図２（ｂ）は従来の車両内装用溶着部材を適用したエアバッグドア部を示す。
【００１９】
図２（ａ）に示すように、本発明の車両内装用溶着部材を適用したエアバッグドア部のうち基材部１１は、略板状の主部１１１と溶着突起１１２とから構成されている。溶着突起１１２は、主部１１１のうちのエアバッグリテーナ２側に、ほぼ直線状に複数本（図２においては２本）形成されている。この溶着突起は、後述する振動溶着法により基材部１１とエアバッグリテーナ２とを溶着接合するための突起である。そして、エアバッグリテーナ２は、ほぼ平板状をなしており、突起部は形成されていない。なお、図２においては、溶着突起１１２が突起形状をなしている状態の図を示したが、実際には溶着突起１１２が振動溶着により溶着して突起形状をなしていない場合がある。
【００２０】
これに対して、従来の車両内装用溶着部材を適用したエアバッグドア部は、図２（ｂ）に示すような形状であった。すなわち、基材部１１には突起部が形成されておらず、エアバッグリテーナ２側に突起部が形成されていた。
【００２１】
（エアバッグドア部の製造方法）
次に、上述したエアバッグドア部の製造方法について説明する。エアバッグドア部の製造の概略は、ドアパネル１とエアバッグリテーナ２をそれぞれ成形した後に、ドアパネル１とエアバッグリテーナ２を接合することにより行う。
【００２２】
（ドアパネル１の成形）
まず、ドアパネル１の成形方法について図３及び図４を参照して説明する。図３は、ドアパネル１を射出成形する射出成形機の金型３Ａ〜３Ｃ（上型３Ａ，第１下型３Ｂ，第２下型３Ｃ）を示す。図４は、ドアパネル１の成形過程を示す。まず、ドアパネル１の成形方法の概略を説明する。ドアパネル１は、まず基材部１１を射出成形した後に、表面発泡層１２を射出発泡成形する。具体的には、以下のとおりである。
【００２３】
まず、図３（ａ）に示すように、基材部１１を成形するためには、射出成形機の上型（可動型）３Ａと第１下型（固定型）３Ｂを用いる。ここで、射出成形機の上型３Ａのうちの型合わせ面は、上述した基材部１１の第１面側を転写した形状に形成されている。すなわち、射出成形機の上型３Ａの型合わせ面には、溶着突起１１２が転写される溝（図示せず）が形成されている。射出成形機の第１下型３Ｂのうちの型合わせ面は、上述した基材部１１の第２面側を転写した形状に形成されている。そして、上型３Ａと第１下型３Ｂとの間に形成されるキャビティ４ａに溶融したポリプロピレン（ＰＰ）を射出する。その後、上型３Ａ及び第１下型３Ｂを所定時間保持することにより、溶融樹脂を冷却して基材部１１を成形する。
【００２４】
このようにして成形された基材部１１の断面形状を図４（ａ）に示す。図４（ａ）に示すように、基材部１１は、一方側の面（第１面側）には溶着突起１１２が成形されている。一方、基材部１１の他方側の面（第２面側）には、溶着突起１１２が冷却する際に発生したヒケにより凹み１１３が形成されている。
【００２５】
次に、基材部１１の第２面側に表面発泡層１２を形成する。図３（ｂ）に示すように、射出成形機の上型（可動型）３Ａと第２下型（固定型）３Ｃを用いる。ここでは、射出成形機の上型３Ａの型合わせ面には、上述のように成形された基材部１１の第１面側が取付けられた状態が維持されている。そして、射出成形機の第２下型３Ｃの型合わせ面は、表面発泡層１２の第２面側、すなわち意匠面側の形状を転写した形状に形成されている。そして、上型３Ａの型合わせ面に取付けられた基材部１１と第２下型３Ｃとの間に形成されるキャビティ４ｂに溶融した熱可塑性発泡樹脂を射出する。その後、図３（ｃ）に示すように、上型３Ａを図の上方側へ移動させて熱可塑性発泡樹脂を発泡させる。そして、上型３Ａ及び第２下型３Ｃを所定時間保持することにより、発泡した樹脂を冷却して表面発泡層１２を成形する。このようにして、基材部１１と基材部１１に一体的に接合した表面発泡層１２とからなるドアパネル１が成形される。ここで、上述したように、基材部１１の第２面側にはヒケにより凹み１１３が形成されている。そこで、表面発泡層１２を基材部１１の第２面側に形成することにより、基材部１１に形成されたヒケによる凹み１１３が意匠面に現れないようにしている。そして、成形されたドアパネル１は、射出成形機からドアパネル１を取り出す。
【００２６】
（エアバッグリテーナの成形）
次に、エアバッグリテーナ２を成形する。エアバッグリテーナ２の成形方法については公知であるので簡単に説明する。エアバッグリテーナ２についても、ドアパネル１と同様に射出成形機により射出成形する。すなわち、エアバッグリテーナ２の形状を転写した上型と下型との間に形成されるキャビティに溶融したＴＰＯ樹脂を射出して、所定時間冷却することによりエアバッグリテーナ２を成形する。
（ドアパネルとエアバッグリテーナの振動溶着）
次に、上述のように成形されたドアパネル１とエアバッグリテーナ２とを振動溶着により接合する。ドアパネル１とエアバッグリテーナ２との振動溶着による接合方法について、図５及び図６を参照して説明する。図５は、振動溶着装置のうちの治具５ａ、５ｂの断面図の一部分を示す。図６は、ドアパネル１とエアバッグリテーナ２とが溶着される過程を示す。
【００２７】
ここで、振動溶着装置（図示せず）の構成について簡単に説明する。振動溶着装置は、振動を発生させる振動発生装置と、振動部材（本実施例では、エアバッグリテーナ２）を保持すると共に振動発生装置から振動を伝達される振動側治具５ａと、所定方向（図５の上方側）に加圧可能な加圧装置と、振動側治具に対向して配設され加圧部材（本実施例では、ドアパネル１）を保持する加圧側治具５ｂとから構成される。ここで、振動発生装置は、例えば、周波数６０ｋＨｚ、振幅３ｍｍで振動する。また、加圧装置は、例えば６０００ｋＮにより加圧可能である。
【００２８】
本実施例においては、図５に示すように、エアバッグリテーナ２が振動溶着装置の振動側治具５ａに保持される。具体的には、エアバッグリテーナ２のうちの振動溶着させない側が振動側治具５ａにより保持される。また、ドアパネル１が振動溶着装置の加圧側治具５ｂに保持される。具体的には、ドアパネル１の第１面側、すなわち、基材部１１の溶着突起１１２が形成されている面側が振動側治具５ａに対向するように、ドアパネル１が保持される。さらに、ドアパネル１の基材部１１の溶着突起１１２が形成された方向と振動側治具５ａを振動させる方向とが一致するように、ドアパネル１は加圧側治具５ｂに保持される。
【００２９】
続いて、図６（ａ）に示すように、振動側治具５ａに保持されたエアバッグリテーナ２と加圧側治具５ｂに保持されたドアパネル１の基材部１１の溶着突起とが当接する位置まで、加圧側治具５ｂを図５の上方側に移動させる。続いて、振動側治具５ａに保持されたエアバッグリテーナ２を所定周波数及び振幅により振動させつつ、加圧側治具５ｂに保持されたドアパネル１を図５の上方側へ加圧する。
【００３０】
続いて、図６（ｂ）に示すように、エアバッグリテーナ２の振動及びドアパネル１の加圧を継続するうちに、基材部１１の溶着突起１１２及びエアバッグリテーナ２のうちの溶着突起１１２が当接している部位が溶融し始める。ここで、上述したように、基材部１１の硬度は、エアバッグリテーナ２の硬度より低い。このことより、溶着突起１１２とエアバッグリテーナ２とが振動溶着する際には、基材部１１の変形量はエアバッグリテーナ２の変形量より少なくなる。すなわち、振動溶着の際には、加圧装置の加圧力により基材部１１よりも硬度の低いエアバッグリテーナ２の方がより変形しながら溶着突起１１２とエアバッグリテーナ２との溶着が進行する。従って、基材部１１の変形量は非常に少なくなるので、基材部１１の第２面側に一体的に接合された表面発泡層１２の変形量は基材部１１の変形量よりもさらに少なくなる。そして、図６（ｃ）に示すように、振動及び加圧を停止して所定時間冷却して、溶着を完了させる。
【００３１】
（従来のドアパネルとエアバッグリテーナの振動溶着）
ここで、本実施例の振動溶着により接合されたエアバッグドア部の効果を示すために、従来の振動溶着により接合されたエアバッグドア部について図７を参照して説明する。図７は、従来のドアパネル６とエアバッグリテーナ７とが溶着される過程を示す。
【００３２】
まず、従来のエアバッグドア部の構成について簡単に説明する。従来のエアバッグドア部は、ドアパネル６とエアバッグリテーナ７とから構成される。従来のドアパネル６は、基材部６１の第１面側（エアバッグリテーナ７との溶着面側）には、本実施例の基材部１１のような溶着突起１１２が形成されていない。また、基材部６１の第２面側（エアバッグリテーナ７との溶着面との反対面側）には、表面発泡層６２が接合されている。そして、表面発泡層６２の第２面側（基材部６１との反対面側）が、意匠面を形成している。従来のエアバッグリテーナ７のうちドアパネル６との溶着面側には、本実施例の溶着突起１１２に相当する突起が形成されている。
【００３３】
このように形成されたドアパネル６とエアバッグリテーナ７とを振動溶着する際には、図７（ａ）に示すように、振動溶着装置の加圧装置による加圧力によりエアバッグリテーナ７の突起はドアパネル６の基材部６１の第１面側を加圧する。そうすると、図７（ｂ）に示すように、基材部６１がエアバッグリテーナ７の突起に対応して意匠面側に突出する。そうすると、図７（ｃ）に示すように、基材部６１の意匠面側が変形することにより、表面発泡層６２が基材部６１の突出部分に対応して意匠面が突出する。つまり、表面発泡層６２の意匠面には、エアバッグリテーナ７の突起に沿った凸部が形成される。
【００３４】
このように、従来のエアバッグドア部には意匠面に凸部が形成されるために、車室内側の意匠面の外観品質を悪化させていた。しかし、本実施例のエアバッグドア部によれば、車室内の意匠面の凹凸を低減することができるため、外観品質を向上させることができる。
【００３５】
（その他の実施例）
なお、上記実施例においては、本発明の車両内装用溶着部材をエアバッグドア部に適用した場合について説明したがこれに限られるものではない。例えば、インストルメントパネルやドアとリムなどの車両内装用部材であれば、本発明の車両内装用溶着部材を適用して同様の効果を奏することができる。つまり、これらの車両内装用部材も意匠面の外観品質を非常に要求される部材であるため、本発明を適用することにより外観品質を確実に向上させることができる。
【図面の簡単な説明】
【００３６】
【図１】エアバッグドア部の断面図を示す。
【図２】図１のエアバッグドア部のＡ部分を拡大した図を示す。
【図３】ドアパネルを成形する射出成形機の金型を示す。
【図４】ドアパネルの成形過程を示す。
【図５】振動溶着装置の部分図を示す。
【図６】ドアパネルとエアバッグリテーナとの溶着過程を示す。
【図７】従来のドアパネルとエアバッグリテーナとの溶着過程を示す。
【符号の説明】
【００３７】
１，６・・・ドアパネル、  ２，７・・・エアバッグリテーナ、  ３Ａ・・・上型、  ３Ｂ・・・第１下型、  ３Ｃ・・・第２下型、  ５ａ・・・振動側治具、  ５ｂ・・・加圧側治具、  １１・・・基材部、  １１ａ〜１１ｃ・・・ティアライン、  １１１・・・主部、  １１２・・・溶着突起、  １１３・・・凹み、  １２・・・表面発泡層
【図１】
2005205800.tif 000003
【図２】
2005205800.tif 000004
【図３】
2005205800.tif 000005
【図４】
2005205800.tif 000006
【図５】
2005205800.tif 000007
【図６】
2005205800.tif 000008
【図７】
2005205800.tif 000009